【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるマルチメディアブロードキャストおよびマルチキャストサービス（ＭＢＭＳ）動作のための方法であって、
ネットワークデバイスで、アプリケーションサーバからサービスのアクティブ化のための要求を受信することと、ここにおいて、アクティブ化のための前記要求が、前記ネットワークデバイスによって提供される少なくとも１つまたは複数のＭＢＭＳサービス配信機能に対応する、
前記ネットワークデバイスで、前記アプリケーションサーバが前記少なくとも１つまたは複数のＭＢＭＳサービス配信機能について認可されると決定することと、ここにおいて、前記少なくとも１つまたは複数のＭＢＭＳサービス配信機能が、前記ネットワークデバイスによってサポートされる前記ＭＢＭＳサービス配信機能のサブセットである、
前記アプリケーションサーバが認可されるという決定に応答して、一時モバイルグループ識別情報（ＴＭＧＩ）を前記アプリケーションサーバに割り振ることと
を備える、方法。
【請求項２】
前記アプリケーションサーバが前記アプリケーションサーバによって要求された前記少なくとも１つまたは複数のＭＢＭＳサービス配信機能について認可されると決定することは、
前記サービスのアクティブ化のための前記要求中のサービス識別情報（ＩＤ）を識別することと、
前記サービスＩＤが、ネットワーク事業者と前記アプリケーションサーバの事業者との間の合意に基づいて前記アプリケーションサーバに提供する認可されたサービスに対応するかどうかを決定することと
を備える、請求項１に記載の方法。
【請求項３】
前記サービスＩＤが、サービスの前記アクティブ化中に含まれるべき、前記ネットワークデバイスによってサポートされる前記ＭＢＭＳサービス配信機能のうちの第１のＭＢＭＳサービス配信機能と、前記要求から除外されるべき、前記ネットワークデバイスによってサポートされる前記ＭＢＭＳサービス配信機能のうちの第２のＭＢＭＳサービス配信機能とを指定する、請求項２に記載の方法。
【請求項４】
前記ネットワークデバイスによって、マルチメディアコンテンツに関連するサービス告知メッセージをユーザ機器（ＵＥ）に送信することをさらに備え、ここにおいて、前記サービス告知メッセージが、前記サービスのための必要とされるＭＢＭＳサービス配信機能を識別するユーザサービス記述を含む、
請求項１〜請求項３のいずれかに記載の方法。
【請求項５】
前記ネットワークデバイスで、前記アプリケーションサーバからユーザ機器（ＵＥ）に送信されるマルチメディアコンテンツのために前記少なくとも１つまたは複数のＭＢＭＳサービス配信機能を構成することによって、前記アプリケーションサーバと前記ＵＥとの間の通信を確立すること
をさらに備える、請求項１〜請求項４のいずれかに記載の方法。
【請求項６】
前記少なくとも１つまたは複数のＭＢＭＳサービス配信機能が、
コンテンツアクセス制御機能、
ブートストラッピング機能、
ファイル修復機能、
報告機能、または
それらの組合せ
を含む、請求項１〜請求項５のいずれかに記載の方法。
【請求項７】
ワイヤレス通信システムにおけるマルチメディアブロードキャストおよびマルチキャストサービス（ＭＢＭＳ）動作のための方法であって、
アプリケーションサーバで、ネットワークデバイスによってサポートされるＭＢＭＳサービス配信機能を識別することと、
前記アプリケーションサーバで、前記アプリケーションサーバに関連するマルチメディアコンテンツのために、前記ネットワークデバイスによってサポートされる前記ＭＢＭＳサービス配信機能から少なくとも１つまたは複数のＭＢＭＳサービス配信機能を選択することと、
前記アプリケーションサーバとユーザ機器（ＵＥ）との間の通信を確立するために、前記アプリケーションサーバから、サービスアクティブ化要求を前記ネットワークデバイスに送信することと、ここにおいて、前記サービスアクティブ化要求が、前記マルチメディアコンテンツのための前記選択された少なくとも１つまたは複数のＭＢＭＳサービス配信機能を含む、
を備える、方法。
【請求項８】
前記サービスアクティブ化要求に応答して、前記ネットワークデバイスから、割り振られた一時モバイルグループ識別情報（ＴＭＧＩ）応答メッセージを受信することをさらに備え、ここにおいて、前記割り振られたＴＭＧＩメッセージは、前記アプリケーションサーバが前記少なくとも１つまたは複数のＭＢＭＳサービス配信機能にサブスクライブすることを認証されるかどうかを識別する、
請求項７に記載の方法。
【請求項９】
マルチメディアブロードキャストおよびマルチキャストサービス（ＭＢＭＳ）のためのユーザ機器（ＵＥ）でのワイヤレス通信のための方法であって、
ネットワークデバイスを介してアプリケーションサーバとの通信セッションを確立することと、
前記ＵＥで、前記アプリケーションサーバによって送信されたマルチメディアコンテンツに関連するユーザサービス記述（ＵＳＤ）を含むサービス告知メッセージを受信することと、ここにおいて、前記ＵＳＤが、前記マルチメディアコンテンツのためにネットワークデバイスによって適用される少なくとも１つまたは複数のＭＢＭＳサービス配信機能を識別する、
前記ＵＳＤに基づいて、少なくとも１つまたは複数のサービス配信機能の使用をＵＥメモリに要求することと、ここにおいて、前記少なくとも１つまたは複数のサービス配信機能は、前記ＵＥが前記マルチメディアコンテンツを復号するのを支援する、
を備える、方法。
【請求項１０】
前記ＵＳＤが、アプリケーションレイヤシグナリングを使用して前記ＵＥのアプリケーションレイヤに与えられ、
ここにおいて、前記ＵＥメモリから前記少なくとも１つまたは複数のサービス配信機能を検索することは、前記ＵＥにおける下位レイヤが前記少なくとも１つまたは複数のサービス配信機能を前記アプリケーションレイヤに送ることを、前記アプリケーションレイヤに要求させることを備える、
請求項９に記載の方法。
【請求項１１】
前記ＵＥのアプリケーションレイヤで、前記ＵＳＤに関連するサービス識別情報（ＩＤ）を受信することをさらに備え、ここにおいて、前記アプリケーションレイヤが、下位レイヤに、前記サービスＩＤに関連する前記少なくとも１つまたは複数のサービス配信機能を検索するように要求する、
請求項９または請求項１０に記載の方法。
【請求項１２】
前記下位レイヤが、前記ネットワークデバイスから受信された前記ＵＳＤに対して前記サービスＩＤを相関させることによって、前記サービスＩＤに関連する前記少なくとも１つまたは複数のサービス配信機能を検索する、請求項１１に記載の方法。
【請求項１３】
前記少なくとも１つまたは複数のサービス配信機能の使用を前記ＵＥメモリに要求することが、
前記１つまたは複数のサービス配信機能に関連する少なくとも１つまたは複数のＭＢＭＳサービス配信構成要素を識別することと、
前記アプリケーションレイヤのために前記１つまたは複数のサービス配信機能を検索するために前記少なくとも１つまたは複数のＭＢＭＳサービス配信構成要素にアクセスすることと
を備える、請求項９〜請求項１２のいずれかに記載の方法。
【請求項１４】
請求項１〜請求項６、請求項７〜請求項８、または請求項９〜請求項１３に記載の方法のうちのいずれかを実行するように構成された装置。
【請求項１５】
請求項１〜請求項６、請求項７〜請求項８、または請求項９〜請求項１３に記載の方法のうちのいずれかを実行するように構成されたコンピュータプログラム。
【手続補正２】
【補正対象書類名】明細書
【補正対象項目名】００９６
【補正方法】変更
【補正の内容】
【００９６】
[0095]  本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば同義で使用される。ＣＤＭＡシステムは、ＣＤＭＡ２０００、ユニバーサル地上波無線アクセス（ＵＴＲＡ：Universal Terrestrial Radio Access）のような無線技術を実施し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））のような無線技術を実施し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭのような無線技術を実施し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上述のシステムおよび無線技術、並びに他のシステムおよび無線技術のために使用され得る。但し、上記の説明は、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
[Ｃ１]  ワイヤレス通信システムにおけるマルチメディアブロードキャストおよびマルチキャストサービス（ＭＢＭＳ）動作のための方法であって、
ネットワークデバイスで、アプリケーションサーバからサービスのアクティブ化のための要求を受信することと、ここにおいて、アクティブ化のための前記要求が、前記ネットワークデバイスによって提供される少なくとも１つまたは複数のＭＢＭＳサービス配信機能に対応する、
前記ネットワークデバイスで、前記アプリケーションサーバが前記少なくとも１つまたは複数のＭＢＭＳサービス配信機能について認可されると決定することと、ここにおいて、前記少なくとも１つまたは複数のＭＢＭＳサービス配信機能が、前記ネットワークデバイスによってサポートされる前記ＭＢＭＳサービス配信機能のサブセットである、
前記アプリケーションサーバが認可されるという決定に応答して、一時モバイルグループ識別情報（ＴＭＧＩ）を前記アプリケーションサーバに割り振ることと
を備える、方法。
[Ｃ２]  前記アプリケーションサーバが前記アプリケーションサーバによって要求された前記少なくとも１つまたは複数のＭＢＭＳサービス配信機能について認可されると決定することは、
前記サービスのアクティブ化のための前記要求中のサービス識別情報（ＩＤ）を識別することと、
前記サービスＩＤが、ネットワーク事業者と前記アプリケーションサーバの事業者との間の合意に基づいて前記アプリケーションサーバに提供する認可されたサービスに対応するかどうかを決定することと
を備える、Ｃ１に記載の方法。
[Ｃ３]  前記サービスＩＤが、サービスの前記アクティブ化中に含まれるべき、前記ネットワークデバイスによってサポートされる前記ＭＢＭＳサービス配信機能のうちの第１のＭＢＭＳサービス配信機能と、前記要求から除外されるべき、前記ネットワークデバイスによってサポートされる前記ＭＢＭＳサービス配信機能のうちの第２のＭＢＭＳサービス配信機能とを指定する、Ｃ２に記載の方法。
[Ｃ４]  前記ネットワークデバイスによって、マルチメディアコンテンツに関連するサービス告知メッセージをユーザ機器（ＵＥ）に送信することをさらに備え、ここにおいて、前記サービス告知メッセージが、前記サービスのための必要とされるＭＢＭＳサービス配信機能を識別するユーザサービス記述を含む、
Ｃ１に記載の方法。
[Ｃ５]  前記ネットワークデバイスで、前記アプリケーションサーバからユーザ機器（ＵＥ）に送信されるマルチメディアコンテンツのために前記少なくとも１つまたは複数のＭＢＭＳサービス配信機能を構成することによって、前記アプリケーションサーバと前記ＵＥとの間の通信を確立すること
をさらに備える、Ｃ１に記載の方法。
[Ｃ６]  前記ネットワークデバイスによって前記アプリケーションサーバと前記ＵＥとの間の通信を確立することが、
前記アプリケーションサーバと前記ＵＥとの間のＭＢＭＳベアラをアクティブ化すること
を備える、Ｃ５に記載の方法。
[Ｃ７]  前記少なくとも１つまたは複数のＭＢＭＳサービス配信機能が、
コンテンツアクセス制御機能、
ブートストラッピング機能、
ファイル修復機能、
報告機能、または
それらの組合せ
を含む、Ｃ１に記載の方法。
[Ｃ８]  前記ネットワークデバイスがブロードキャスト／マルチキャストサービスセンター（ＢＭ−ＳＣ）である、Ｃ１に記載の方法。
[Ｃ９]  前記アプリケーションサーバがサードパーティ通信システムアプリケーションサーバである、Ｃ１に記載の方法。
[Ｃ１０]  前記サードパーティ通信システムアプリケーションサーバがグループ通信サービスアプリケーションサーバ（ＧＣＳ  ＡＳ）である、Ｃ９に記載の方法。
[Ｃ１１]  前記アプリケーションサーバと前記ネットワークデバイスとが、メディアベアラ（ＭＢ２）インターフェースを介して通信する、Ｃ１に記載の方法。
[Ｃ１２]  ワイヤレス通信システムにおけるマルチメディアブロードキャストおよびマルチキャストサービス（ＭＢＭＳ）動作のための方法であって、
アプリケーションサーバで、ネットワークデバイスによってサポートされるＭＢＭＳサービス配信機能を識別することと、
前記アプリケーションサーバで、前記アプリケーションサーバに関連するマルチメディアコンテンツのために、前記ネットワークデバイスによってサポートされる前記ＭＢＭＳサービス配信機能から少なくとも１つまたは複数のＭＢＭＳサービス配信機能を選択することと、
前記アプリケーションサーバとユーザ機器（ＵＥ）との間の通信を確立するために、前記アプリケーションサーバから、サービスアクティブ化要求を前記ネットワークデバイスに送信することと、ここにおいて、前記サービスアクティブ化要求が、前記マルチメディアコンテンツのための前記選択された少なくとも１つまたは複数のＭＢＭＳサービス配信機能を含む、
を備える、方法。
[Ｃ１３]  前記サービスアクティブ化要求に応答して、前記ネットワークデバイスから、割り振られた一時モバイルグループ識別情報（ＴＭＧＩ）応答メッセージを受信することをさらに備え、ここにおいて、前記割り振られたＴＭＧＩメッセージは、前記アプリケーションサーバが前記少なくとも１つまたは複数のＭＢＭＳサービス配信機能にサブスクライブすることを認証されるかどうかを識別する、
Ｃ１２に記載の方法。
[Ｃ１４]  マルチメディアブロードキャストおよびマルチキャストサービス（ＭＢＭＳ）のためのユーザ機器（ＵＥ）でのワイヤレス通信のための方法であって、
ネットワークデバイスを介してアプリケーションサーバとの通信セッションを確立することと、
前記ＵＥで、前記アプリケーションサーバによって送信されたマルチメディアコンテンツに関連するユーザサービス記述（ＵＳＤ）を含むサービス告知メッセージを受信することと、ここにおいて、前記ＵＳＤが、前記マルチメディアコンテンツのためにネットワークデバイスによって適用される少なくとも１つまたは複数のＭＢＭＳサービス配信機能を識別する、
前記ＵＳＤに基づいて、少なくとも１つまたは複数のサービス配信機能の使用をＵＥメモリに要求することと、ここにおいて、前記少なくとも１つまたは複数のサービス配信機能は、前記ＵＥが前記マルチメディアコンテンツを復号するのを支援する、
を備える、方法。
[Ｃ１５]  前記ＵＳＤが、アプリケーションレイヤシグナリングを使用して前記ＵＥのアプリケーションレイヤに与えられ、
ここにおいて、前記ＵＥメモリから前記少なくとも１つまたは複数のサービス配信機能を検索することは、前記ＵＥにおける下位レイヤが前記少なくとも１つまたは複数のサービス配信機能を前記アプリケーションレイヤに送ることを、前記アプリケーションレイヤに要求させることを備える、
Ｃ１４に記載の方法。
[Ｃ１６]  前記ＵＥのアプリケーションレイヤで、前記ＵＳＤに関連するサービス識別情報（ＩＤ）を受信することをさらに備え、ここにおいて、前記アプリケーションレイヤが、下位レイヤに、前記サービスＩＤに関連する前記少なくとも１つまたは複数のサービス配信機能を検索するように要求する、
Ｃ１４に記載の方法。
[Ｃ１７]  前記下位レイヤが、前記ネットワークデバイスから受信された前記ＵＳＤに対して前記サービスＩＤを相関させることによって、前記サービスＩＤに関連する前記少なくとも１つまたは複数のサービス配信機能を検索する、Ｃ１６に記載の方法。
[Ｃ１８]  前記少なくとも１つまたは複数のサービス配信機能の使用を前記ＵＥメモリに要求することが、
前記１つまたは複数のサービス配信機能に関連する少なくとも１つまたは複数のＭＢＭＳサービス配信構成要素を識別することと、
前記アプリケーションレイヤのために前記１つまたは複数のサービス配信機能を検索するために前記少なくとも１つまたは複数のＭＢＭＳサービス配信構成要素にアクセスすることと
を備える、Ｃ１４に記載の方法。
[Ｃ１９]  ワイヤレス通信システムにおけるマルチメディアブロードキャストおよびマルチキャストサービス（ＭＢＭＳ）動作のための装置であって、
命令を記憶するように構成されるメモリと、
前記メモリと通信可能に結合されたプロセッサとを備え、前記プロセッサは、
ネットワークデバイスで、アプリケーションサーバからサービスのアクティブ化のための要求を受信することと、ここにおいて、アクティブ化のための前記要求が、前記ネットワークデバイスによって提供される少なくとも１つまたは複数のＭＢＭＳサービス配信機能に対応する、
前記ネットワークデバイスで、前記アプリケーションサーバが前記少なくとも１つまたは複数のＭＢＭＳサービス配信機能について認可されると決定することと、ここにおいて、前記少なくとも１つまたは複数のＭＢＭＳサービス配信機能が、前記ネットワークデバイスによってサポートされる前記ＭＢＭＳサービス配信機能のサブセットである、
前記アプリケーションサーバが認可されるという決定に応答して、一時モバイルグループ識別情報（ＴＭＧＩ）を前記アプリケーションサーバに割り振ることと
をするための前記命令を実行するように構成される、
装置。
[Ｃ２０]  前記アプリケーションサーバが前記アプリケーションサーバによって要求された前記少なくとも１つまたは複数のＭＢＭＳサービス配信機能について認可されると決定するための前記命令を実行するように構成される前記プロセッサは、
前記サービスのアクティブ化のための前記要求中のサービス識別情報（ＩＤ）を識別することと、
前記サービスＩＤが、ネットワーク事業者と前記アプリケーションサーバの事業者との間の合意に基づいて前記アプリケーションサーバに提供する認可されたサービスに対応するかどうかを決定することと
をするための前記命令を実行するようにさらに構成される、Ｃ１９に記載の装置。
[Ｃ２１]  前記サービスＩＤが、サービスの前記アクティブ化中に含まれるべき、前記ネットワークデバイスによってサポートされる前記ＭＢＭＳサービス配信機能のうちの第１のＭＢＭＳサービス配信機能と、前記要求から除外されるべき、前記ネットワークデバイスによってサポートされる前記ＭＢＭＳサービス配信機能のうちの第２のＭＢＭＳサービス配信機能とを指定する、Ｃ２０に記載の装置。
[Ｃ２２]  前記プロセッサが、
前記ネットワークデバイスによって、マルチメディアコンテンツに関連するサービス告知メッセージをユーザ機器（ＵＥ）に送信するための前記命令を実行するようにさらに構成され、ここにおいて、前記サービス告知メッセージが、前記サービスのための必要とされるＭＢＭＳサービス配信機能を識別するユーザサービス記述を含む、
Ｃ１９に記載の装置。
[Ｃ２３]  前記プロセッサが、
前記ネットワークデバイスで、前記アプリケーションサーバからユーザ機器（ＵＥ）に送信されるマルチメディアコンテンツのために前記少なくとも１つまたは複数のＭＢＭＳサービス配信機能を構成することによって、前記アプリケーションサーバと前記ＵＥとの間の通信を確立するための前記命令を実行するようにさらに構成される、Ｃ１９に記載の装置。
[Ｃ２４]  前記ネットワークデバイスによって前記アプリケーションサーバと前記ＵＥとの間の通信を確立するための前記命令を実行するように構成される前記プロセッサが、
前記アプリケーションサーバと前記ＵＥとの間のＭＢＭＳベアラをアクティブ化するための前記命令を実行するようにさらに構成される、Ｃ２３に記載の装置。
[Ｃ２５]  前記少なくとも１つまたは複数のＭＢＭＳサービス配信機能が、
コンテンツアクセス制御機能、
ブートストラッピング機能、
ファイル修復機能、
報告機能、または
それらの組合せ
を含む、Ｃ１９に記載の装置。
[Ｃ２６]  前記ネットワークデバイスがブロードキャスト／マルチキャストサービスセンター（ＢＭ−ＳＣ）である、Ｃ１９に記載の装置。
[Ｃ２７]  前記アプリケーションサーバがサードパーティ通信システムアプリケーションサーバである、Ｃ１９に記載の装置。
[Ｃ２８]  前記サードパーティ通信システムアプリケーションサーバがグループ通信サービスアプリケーションサーバ（ＧＣＳ  ＡＳ）である、Ｃ２７に記載の装置。
[Ｃ２９]  前記アプリケーションサーバと前記ネットワークデバイスとが、ＭＢ２インターフェースを介して通信する、Ｃ１９に記載の装置。
[Ｃ３０]  ワイヤレス通信システムにおけるマルチメディアブロードキャストおよびマルチキャストサービス（ＭＢＭＳ）動作のための装置であって、
命令を記憶するように構成されるメモリと、
前記メモリと通信可能に結合されたプロセッサとを備え、前記プロセッサは、
アプリケーションサーバで、ネットワークデバイスによってサポートされるＭＢＭＳサービス配信機能を識別することと、
前記アプリケーションサーバで、前記アプリケーションサーバに関連するマルチメディアコンテンツのために、前記ネットワークデバイスによってサポートされる前記ＭＢＭＳサービス配信機能から少なくとも１つまたは複数のＭＢＭＳサービス配信機能を選択することと、
前記アプリケーションサーバとユーザ機器（ＵＥ）との間の通信を確立するために、前記アプリケーションサーバから、サービスアクティブ化要求を前記ネットワークデバイスに送信することと、ここにおいて、前記サービスアクティブ化要求が、前記マルチメディアコンテンツのための前記選択された少なくとも１つまたは複数のＭＢＭＳサービス配信機能を含む、
をするための前記命令を実行するように構成される、
装置。
[Ｃ３１]  前記プロセッサが、
前記サービスアクティブ化要求に応答して、前記ネットワークデバイスから、割り振る一時モバイルグループ識別情報（ＴＭＧＩ）応答メッセージを受信するための前記命令を実行するようにさらに構成され、ここにおいて、前記割り振るＴＭＧＩメッセージは、前記アプリケーションサーバが前記少なくとも１つまたは複数のＭＢＭＳサービス配信機能にサブスクライブすることを認証されるかどうかを識別する、
Ｃ３０に記載の装置。
[Ｃ３２]  マルチメディアブロードキャストおよびマルチキャストサービス（ＭＢＭＳ）のためのユーザ機器（ＵＥ）であって、
命令を記憶するように構成されるメモリと、
前記メモリと通信可能に結合されるプロセッサとを備え、前記プロセッサは、
ネットワークデバイスを介してアプリケーションサーバとの通信セッションを確立することと、
前記ＵＥで、前記アプリケーションサーバによって送信されたマルチメディアコンテンツに関連するユーザサービス記述（ＵＳＤ）を含むサービス告知メッセージを受信することと、ここにおいて、前記ＵＳＤが、前記マルチメディアコンテンツのためにネットワークデバイスによって適用される少なくとも１つまたは複数のＭＢＭＳサービス配信機能を識別する、
前記ＵＳＤに基づいて、少なくとも１つまたは複数のサービス配信機能の使用をＵＥメモリに要求することと、ここにおいて、前記少なくとも１つまたは複数のサービス配信機能は、前記ＵＥが前記マルチメディアコンテンツを復号するのを支援する、
をするための前記命令を実行するように構成される、
ユーザ機器（ＵＥ）。
[Ｃ３３]  前記ＵＳＤが、アプリケーションレイヤシグナリングを使用して前記ＵＥのアプリケーションレイヤに与えられ、
ここにおいて、前記ＵＥメモリから前記少なくとも１つまたは複数のサービス配信機能を検索することは、前記ＵＥにおける下位レイヤが前記少なくとも１つまたは複数のサービス配信機能を前記アプリケーションレイヤに送ることを、前記アプリケーションレイヤに要求させることを備える、
Ｃ３２に記載のＵＥ。
[Ｃ３４]  前記プロセッサが、
前記ＵＥのアプリケーションレイヤで、前記ＵＳＤに関連するサービス識別情報（ＩＤ）を受信するための前記命令を実行するようにさらに構成され、ここにおいて、前記アプリケーションレイヤが、下位レイヤに、前記サービスＩＤに関連する前記少なくとも１つまたは複数のサービス配信機能を検索するように要求する、
Ｃ３２に記載のＵＥ。
[Ｃ３５]  前記下位レイヤが、前記ネットワークデバイスから受信された前記ＵＳＤに対して前記サービスＩＤを相関させることによって、前記サービスＩＤに関連する前記少なくとも１つまたは複数のサービス配信機能を検索する、Ｃ３４に記載のＵＥ。
[Ｃ３６]  前記少なくとも１つまたは複数のサービス配信機能の使用を前記ＵＥメモリに要求するための前記命令を実行するように構成される前記プロセッサが、
前記１つまたは複数のサービス配信機能に関連する少なくとも１つまたは複数のＭＢＭＳサービス配信構成要素を識別することと、
前記アプリケーションレイヤのために前記１つまたは複数のサービス配信機能を検索するために前記少なくとも１つまたは複数のＭＢＭＳサービス配信構成要素にアクセスすることと
をするための前記命令を実行するようにさらに構成される、Ｃ３２に記載のＵＥ。
[Ｃ３７]  ワイヤレス通信システムにおけるマルチメディアブロードキャストおよびマルチキャストサービス（ＭＢＭＳ）動作のための装置であって、
ネットワークデバイスで、アプリケーションサーバからサービスのアクティブ化のための要求を受信するための手段と、ここにおいて、アクティブ化のための前記要求が、前記ネットワークデバイスによって提供される少なくとも１つまたは複数のＭＢＭＳサービス配信機能に対応する、
前記ネットワークデバイスで、前記アプリケーションサーバが前記少なくとも１つまたは複数のＭＢＭＳサービス配信機能について認可されると決定するための手段と、ここにおいて、前記少なくとも１つまたは複数のＭＢＭＳサービス配信機能が、前記ネットワークデバイスによってサポートされる前記ＭＢＭＳサービス配信機能のサブセットである、  前記アプリケーションサーバが認可されるという決定に応答して、一時モバイルグループ識別情報（ＴＭＧＩ）を前記アプリケーションサーバに割り振るための手段と
を備える、装置。
[Ｃ３８]  前記アプリケーションサーバが前記アプリケーションサーバによって要求された前記少なくとも１つまたは複数のＭＢＭＳサービス配信機能について認可されると決定するための前記手段は、
前記サービスのアクティブ化のための前記要求中のサービス識別情報（ＩＤ）を識別するための手段と、
前記サービスＩＤが、ネットワーク事業者と前記アプリケーションサーバの事業者との間の合意に基づいて前記アプリケーションサーバに提供する認可されたサービスに対応するかどうかを決定するための手段と
を備える、Ｃ３７に記載の装置。
[Ｃ３９]  前記サービスＩＤが、サービスの前記アクティブ化中に含まれるべき、前記ネットワークデバイスによってサポートされる前記ＭＢＭＳサービス配信機能のうちの第１のＭＢＭＳサービス配信機能と、前記要求から除外されるべき、前記ネットワークデバイスによってサポートされる前記ＭＢＭＳサービス配信機能のうちの第２のＭＢＭＳサービス配信機能とを指定する、Ｃ３８に記載の装置。
[Ｃ４０]  前記ネットワークデバイスによって、マルチメディアコンテンツに関連するサービス告知メッセージをユーザ機器（ＵＥ）に送信するための手段をさらに備え、ここにおいて、前記サービス告知メッセージが、前記サービスのための必要とされるＭＢＭＳサービス配信機能を識別するユーザサービス記述を含む、
Ｃ３７に記載の装置。
[Ｃ４１]  前記ネットワークデバイスで、前記アプリケーションサーバからユーザ機器（ＵＥ）に送信されるマルチメディアコンテンツのために前記少なくとも１つまたは複数のＭＢＭＳサービス配信機能を構成することによって、前記アプリケーションサーバと前記ＵＥとの間の通信を確立するための手段
をさらに備える、Ｃ３７に記載の装置。
[Ｃ４２]  前記ネットワークデバイスによって前記アプリケーションサーバと前記ＵＥとの間の通信を確立するための前記手段が、
前記アプリケーションサーバと前記ＵＥとの間のＭＢＭＳベアラをアクティブ化するための手段
を備える、Ｃ４１に記載の装置。
[Ｃ４３]  前記少なくとも１つまたは複数のＭＢＭＳサービス配信機能が、
コンテンツアクセス制御機能、
ブートストラッピング機能、
ファイル修復機能、
報告機能、または
それらの組合せ
を含む、Ｃ３７に記載の装置。
[Ｃ４４]  前記ネットワークデバイスがブロードキャスト／マルチキャストサービスセンター（ＢＭ−ＳＣ）である、Ｃ３７に記載の装置。
[Ｃ４５]  前記アプリケーションサーバがサードパーティ通信システムアプリケーションサーバである、Ｃ３７に記載の装置。
[Ｃ４６]  前記サードパーティ通信システムアプリケーションサーバがグループ通信サービスアプリケーションサーバ（ＧＣＳ  ＡＳ）である、Ｃ４５に記載の装置。
[Ｃ４７]  前記アプリケーションサーバと前記ネットワークデバイスとが、ＭＢ２インターフェースを介して通信する、Ｃ３７に記載の装置。
[Ｃ４８]  ワイヤレス通信システムにおけるマルチメディアブロードキャストおよびマルチキャストサービス（ＭＢＭＳ）動作のための装置であって、
アプリケーションサーバで、ネットワークデバイスによってサポートされるＭＢＭＳサービス配信機能を識別するための手段と、
前記アプリケーションサーバで、前記アプリケーションサーバに関連するマルチメディアコンテンツのために、前記ネットワークデバイスによってサポートされる前記ＭＢＭＳサービス配信機能から少なくとも１つまたは複数のＭＢＭＳサービス配信機能を選択するための手段と、
前記アプリケーションサーバとユーザ機器（ＵＥ）との間の通信を確立するために、前記アプリケーションサーバから、サービスアクティブ化要求を前記ネットワークデバイスに送信するための手段と、ここにおいて、前記サービスアクティブ化要求が、前記マルチメディアコンテンツのための前記選択された少なくとも１つまたは複数のＭＢＭＳサービス配信機能を含む、
を備える、装置。
[Ｃ４９]  前記サービスアクティブ化要求に応答して、前記ネットワークデバイスから、割り振る一時モバイルグループ識別情報（ＴＭＧＩ）応答メッセージを受信するための手段をさらに備え、ここにおいて、前記割り振るＴＭＧＩメッセージは、前記アプリケーションサーバが前記少なくとも１つまたは複数のＭＢＭＳサービス配信機能にサブスクライブすることを認証されるかどうかを識別する、
Ｃ４８に記載の装置。
[Ｃ５０]  マルチメディアブロードキャストおよびマルチキャストサービス（ＭＢＭＳ）のためのユーザ機器（ＵＥ）でのワイヤレス通信のための装置であって、
ネットワークデバイスを介してアプリケーションサーバとの通信セッションを確立するための手段と、
前記ＵＥで、前記アプリケーションサーバによって送信されたマルチメディアコンテンツに関連するユーザサービス記述（ＵＳＤ）を含むサービス告知メッセージを受信するための手段と、ここにおいて、前記ＵＳＤが、前記マルチメディアコンテンツのためにネットワークデバイスによって適用される少なくとも１つまたは複数のＭＢＭＳサービス配信機能を識別する、
前記ＵＳＤに基づいて、少なくとも１つまたは複数のサービス配信機能の使用をＵＥメモリに要求するための手段と、ここにおいて、前記少なくとも１つまたは複数のサービス配信機能は、前記ＵＥが前記マルチメディアコンテンツを復号するのを支援する、
を備える、装置。
[Ｃ５１]  前記ＵＳＤが、アプリケーションレイヤシグナリングを使用して前記ＵＥのアプリケーションレイヤに与えられ、
ここにおいて、前記ＵＥメモリから前記少なくとも１つまたは複数のサービス配信機能を検索するための手段は、前記ＵＥにおける下位レイヤが前記少なくとも１つまたは複数のサービス配信機能を前記アプリケーションレイヤに送ることを、前記アプリケーションレイヤに要求させることを備える、
Ｃ５０に記載の装置。
[Ｃ５２]  前記ＵＥのアプリケーションレイヤで、前記ＵＳＤに関連するサービス識別情報（ＩＤ）を受信するための手段をさらに備え、ここにおいて、前記アプリケーションレイヤが、下位レイヤに、前記サービスＩＤに関連する前記少なくとも１つまたは複数のサービス配信機能を検索するように要求する、
Ｃ５０に記載の装置。
[Ｃ５３]  前記下位レイヤが、前記ネットワークデバイスから受信された前記ＵＳＤに対して前記サービスＩＤを相関させることによって、前記サービスＩＤに関連する前記少なくとも１つまたは複数のサービス配信機能を検索する、Ｃ５２に記載の装置。
[Ｃ５４]  前記少なくとも１つまたは複数のサービス配信機能の使用を前記ＵＥメモリに要求するための前記手段が、
前記１つまたは複数のサービス配信機能に関連する少なくとも１つまたは複数のＭＢＭＳサービス配信構成要素を識別するための手段と、
前記アプリケーションレイヤのために前記１つまたは複数のサービス配信機能を検索するために前記少なくとも１つまたは複数のＭＢＭＳサービス配信構成要素にアクセスするための手段と
を備える、Ｃ５０に記載の装置。
[Ｃ５５]  ワイヤレス通信システムにおけるマルチメディアブロードキャストおよびマルチキャストサービス（ＭＢＭＳ）動作のためのコードを記憶するコンピュータ可読媒体であって、前記コードは、
ネットワークデバイスで、アプリケーションサーバからサービスのアクティブ化のための要求を受信することと、ここにおいて、アクティブ化のための前記要求が、前記ネットワークデバイスによって提供される少なくとも１つまたは複数のＭＢＭＳサービス配信機能に対応する、
前記ネットワークデバイスで、前記アプリケーションサーバが前記少なくとも１つまたは複数のＭＢＭＳサービス配信機能について認可されると決定することと、ここにおいて、前記少なくとも１つまたは複数のＭＢＭＳサービス配信機能が、前記ネットワークデバイスによってサポートされる前記ＭＢＭＳサービス配信機能のサブセットである、
前記アプリケーションサーバが認可されるという決定に応答して、一時モバイルグループ識別情報（ＴＭＧＩ）を前記アプリケーションサーバに割り振ることと
をするために実行可能な命令を備える、コンピュータ可読媒体。
[Ｃ５６]  ワイヤレス通信システムにおけるマルチメディアブロードキャストおよびマルチキャストサービス（ＭＢＭＳ）動作のためのコードを記憶するコンピュータ可読媒体であって、前記コードは、
アプリケーションサーバで、ネットワークデバイスによってサポートされるＭＢＭＳサービス配信機能を識別することと、
前記アプリケーションサーバで、前記アプリケーションサーバに関連するマルチメディアコンテンツのために、前記ネットワークデバイスによってサポートされる前記ＭＢＭＳサービス配信機能から少なくとも１つまたは複数のＭＢＭＳサービス配信機能を選択することと、
前記アプリケーションサーバとユーザ機器（ＵＥ）との間の通信を確立するために、前記アプリケーションサーバから、サービスアクティブ化要求を前記ネットワークデバイスに送信することと、ここにおいて、前記サービスアクティブ化要求が、前記マルチメディアコンテンツのための前記選択された少なくとも１つまたは複数のＭＢＭＳサービス配信機能を含む、
を行うために実行可能な命令を備える、コンピュータ可読媒体。
[Ｃ５７]  マルチメディアブロードキャストおよびマルチキャストサービス（ＭＢＭＳ）のためのユーザ機器（ＵＥ）でのワイヤレス通信のためのコードを記憶するコンピュータ可読媒体であって、前記コードは、
ネットワークデバイスを介してアプリケーションサーバとの通信セッションを確立することと、
前記ＵＥで、前記アプリケーションサーバによって送信されたマルチメディアコンテンツに関連するユーザサービス記述（ＵＳＤ）を含むサービス告知メッセージを受信することと、ここにおいて、前記ＵＳＤが、前記マルチメディアコンテンツのためにネットワークデバイスによって適用される少なくとも１つまたは複数のＭＢＭＳサービス配信機能を識別する、
前記ＵＳＤメッセージに基づいて、少なくとも１つまたは複数のサービス配信機能の使用をＵＥメモリに要求することと、ここにおいて、前記少なくとも１つまたは複数のサービス配信機能は、前記ＵＥが前記マルチメディアコンテンツを復号するのを支援する、をするために実行可能な命令を備える、コンピュータ可読媒体。